(57)【特許請求の範囲】
【請求項１】
第一の操作部と、
前記第一の操作部を発光させることが可能な発光手段と、
所定の撮影画像生成手段によって生成される動画像をキャプチャ可能なキャプチャ手段と、
前記撮影画像生成手段より転送された動画像と、前記キャプチャ手段によりキャプチャされた静止画像とを一画面内に並べて同時表示可能に合成する画像合成手段と、
を備え、
前記第一の操作部の操作が行われると、
前記キャプチャ手段は、前記動画像をキャプチャし、
前記発光手段は、前記第一の操作部を所定の色で発光させ、
前記画像合成手段は、合成後の合成画像内に配置される静止画像に対し、前記所定の色の識別子を重畳することを特徴とする、画像処理システム。
【請求項２】
親画面となる画像を指定するための第二の操作部
を更に備え、
前記画像合成手段は、
前記第二の操作部の操作により指定された前記動画像と前記静止画像の一方が親画面となり、他方の画像が該親画面よりも表示サイズの小さい子画面となるように、該動画像と該静止画像とを合成し、かつ、
前記静止画像が親画面に指定されている場合に限り、前記合成画像内に配置されている静止画像に対し、前記所定の色の識別子を重畳することを特徴とする、請求項１に記載の画像処理システム。
【請求項３】
前記識別子は、前記静止画像を取り囲う領域に重畳されることを特徴とする、請求項１又は請求項２に記載の画像処理システム。
【請求項４】
前記識別子は、前記第一の操作部の発光色と同じ色で表示されるマスクであることを特徴とする、請求項１から請求項３の何れか一項に記載の画像処理システム。
【請求項５】
前記画像合成手段は、前記静止画像が親画面に指定されている期間、該期間開始からの経過時間の情報を、前記合成画像内に配置される静止画像に対して重畳することを特徴とする、請求項２を引用する請求項３又は請求項４に記載の画像処理システム。
【請求項６】
撮影画像を取得する電子内視鏡と、
前記所定の撮影画像生成手段を有しており、前記電子内視鏡より入力される撮影画像を処理して動画像を生成する信号処理装置と、
を備え、
前記第一の操作部は、前記電子内視鏡と前記信号処理装置の少なくとも一方に設けられていることを特徴とする、請求項１から請求項５の何れか一項に記載の画像処理システム。
【発明の詳細な説明】
【技術分野】
【０００１】
本発明は、動画像と静止画像とを一画面内に並べて同時に表示するための画像処理システムに関する。
【背景技術】
【０００２】
電子内視鏡システムには、電子内視鏡により撮影された動画像をキャプチャする機能が備えられている。この種の電子内視鏡システムの具体的構成が、例えば特許文献１に記載されている。
【０００３】
特許文献１に記載の電子内視鏡システムは、通常、動画像を親画面として表示しており、フリーズスイッチが操作されたときには、親画面を、スイッチ操作時にキャプチャされた静止画像に切り替えて表示すると同時に、それまで親画面として表示されていた動画像を子画面として表示する。これにより、術者は、動画像と静止画像とを一画面内で同時に観察することができる。
【先行技術文献】
【特許文献】
【０００４】
【特許文献１】特開２００２−２７２６７９号公報
【発明の概要】
【発明が解決しようとする課題】
【０００５】
ところで、動画像が子画面で表示された場合、表示サイズが親画面と比べて縮小されているため、動画像内における病変部等の絶対的な動き（動き量）が小さくなる。例えば、声帯や心臓に近い部位等は動きが比較的大きいため、縮小されて動きが小さくなった動画像と静止画像との判別は難しいとはいえない。これに対し、大腸や胃等は活発に動く部位ではないため、子画面表示されている動画像が静止した画像であるかのように見える虞がある。この場合、動画像と静止画像との判別が難しく、術者が動画像と静止画像とを取り違える虞がある。そのため、術者が例えば静止画像を動画像と思い込んだまま、体腔内観察や施術を継続するなどの問題が起こり得る。
【０００６】
本発明は上記の事情に鑑みてなされたものである。本発明の目的は、術者による動画像と静止画像との取り違えを防止するのに好適な画像処理システムを提供することである。
【課題を解決するための手段】
【０００７】
上記の課題を解決する本発明の一実施形態に係る画像処理システムは、第一の操作部と、第一の操作部を発光させることが可能な発光手段と、所定の撮影画像生成手段によって生成される動画像をキャプチャ可能なキャプチャ手段と、撮影画像生成手段より転送された動画像と、キャプチャ手段によりキャプチャされた静止画像とを一画面内に並べて同時表示可能に合成する画像合成手段とを備えており、第一の操作部の操作が行われると、キャプチャ手段が動画像をキャプチャし、発光手段が第一の操作部を所定の色で発光させ、画像合成手段が、合成後の合成画像内に配置される静止画像に対し、所定の色の識別子を重畳する。
【０００８】
術者は、第一の操作部の発光色と同じ色の識別子を目視することにより、合成画像内の静止画像を特定することができ、動画像と静止画像とを取り違えることがなくなる。
【０００９】
また、本発明の一実施形態に係る画像処理システムは、親画面となる画像を指定するための第二の操作部を更に備えた構成としてもよい。この場合、画像合成手段は、第二の操作部の操作により指定された動画像と静止画像の一方が親画面となり、他方の画像が親画面よりも表示サイズの小さい子画面となるように、動画像と静止画像とを合成し、かつ、静止画像が親画面に指定されている場合に限り、合成画像内に配置されている静止画像に対し、所定の色の識別子を重畳する。
【００１０】
また、識別子は、例えば静止画像を取り囲う領域に重畳される。識別子の具体的例として、第一の操作部の発光色と同じ色で表示されるマスクが挙げられる。
【００１１】
また、画像合成手段は、例えば、静止画像が親画面に指定されている期間、期間開始からの経過時間の情報を、合成画像内に配置される静止画像に対して重畳することができる。
【００１２】
また、本発明の一実施形態に係る画像処理システムは、撮影画像を撮影可能な電子内視鏡と、所定の撮影画像生成手段を有しており、電子内視鏡より入力される撮影画像を処理して動画像を生成する信号処理装置とを備えたシステムとしてもよい。この場合、第一の操作部は、例えば電子内視鏡と信号処理装置の少なくとも一方に設けられている。
【発明の効果】
【００１３】
本発明の一実施形態によれば、術者による動画像と静止画像との取り違えを防止するのに好適な画像処理システムが提供される。
【図面の簡単な説明】
【００１４】
【図１】本発明の一実施形態における内視鏡システムの構成を示すブロック図である。
【図２】本発明の一実施形態における内視鏡の操作部を示す模式図である。
【図３】本発明の一実施形態におけるモニタの表示画面に表示される表示画面例を示す図である。
【図４】本発明の一実施形態におけるモニタの表示画面に表示される表示画面例を示す図である。
【発明を実施するための形態】
【００１５】
以下、図面を参照して、本発明の一実施形態における電子内視鏡システムについて説明する。
【００１６】
図１は、本実施形態の電子内視鏡システム１００の構成を示すブロック図である。図１に示されるように、電子内視鏡システム１００は、電子スコープ１及びビデオプロセッサ２を備えている。電子スコープ１とビデオプロセッサ２は、光学的及び電気的に接続されている。
【００１７】
ビデオプロセッサ２は、光源部４１を備えている。光源部４１は面順次方式にて照明光を生成するものであり、光源、集光レンズ、カラーフィルタ、カラーフィルタ回転制御回路、光量絞り、絞り制御回路等を備えている。光源は白色光源であり、例えばハロゲンランプ、キセノンランプ、白色ＬＥＤ等である。光源より放射された白色光は、集光レンズによって集光されてカラーフィルタを透過する。カラーフィルタは、カラーフィルタ回転制御回路による制御下で、映像信号をフレームメモリに書き込む際のタイミングパルスや垂直同期信号に同期して回転し、集光レンズより入射される白色光を赤（Ｒ）、緑（Ｇ）、青（Ｂ）の光に順次色分解する。カラーフィルタにより色分解された照明光は、絞り制御回路による制御下で動作する光量絞りによって適正な光量に絞られて、光ファイバ束からなるライトガイド２１の入射端に入射される。なお、撮像方式は、面順次方式に代えて、同時方式の撮像方式を採用してもよい。
【００１８】
光源部４１より供給される照明光は、ライトガイド２１内部を伝搬して電子スコープ１の可撓管先端部内に配されたライトガイド２１の射出端より射出される。可撓管先端部内には、対物光学系１１及び配光光学系１２が配置されている。対物光学系１１の後段には、撮像素子１３（ＣＣＤイメージセンサやＣＭＯＳイメージセンサなど）が配置されている。また、複数の伝送路が束ねられた信号線が撮像素子１３からビデオプロセッサ２との接続部にかけて引き出されている。なお、図１中、対物光学系１１を単枚として示しているが、実際は複数枚から構成されている。さらに本実施形態では光学ズームにも対応している。
【００１９】
ライトガイド２１より射出された照明光は、配光光学系１２を介して対象部位に到達する。照明光は対象部位で反射されて、対物光学系１１を介して撮像素子１３の撮像面上に結像する。撮像素子１３によって受光された照明光は光電変換された後、ビデオプロセッサ２の映像信号処理回路３０に送信される。
【００２０】
術者は、電子スコープ１の操作部２２のスイッチやビデオプロセッサ２の操作パネル４２に設けられた電子ズーム用のスイッチを操作することにより、電子ズームの倍率を変更することができる。ビデオプロセッサ２のＣＰＵ３９は、電子ズーム用のスイッチの操作信号を受信し、操作信号に基づいて電子ズームの制御信号を画像処理回路３４に送信する。画像処理回路３４は、受信された制御信号に基づいて映像信号に対して電子ズーム処理を行う。
【００２１】
また、電子内視鏡システム１００においては、ビデオプロセッサ２側で主体的に行われるズーム機能である電子ズームのほかに、電子スコープ１側で主体的に行われるズーム機能である光学ズームも実行することができる。電子スコープ１の操作部２２内には、光学ズーム手段として、モータ１４、及びモータ１４の回転数を検出するロータリエンコーダ１５が設けられている。モータ１４は、トルクワイヤを介してギア１０と接続されている。ギア１０は、モータ１４の駆動力を利用して対物光学系１１内の可動レンズを光軸方向に移動させて、撮像素子１３の撮像面との焦点距離を合焦位置を変えることなく変更する。モータ１４に対する入力やロータリエンコーダ１５により検出されるモータ１４の回転数等の情報は、モータ制御回路１６にフィードバックされる。
【００２２】
例えば、パルス波のデューティ比を変化させて変調するＰＷＭ（Pulse Width Modulation）駆動式の場合は、ＰＷＭ周波数やデューティ比がモータ制御回路１６にフィードバックされる。モータ１４の回転数と対物光学系１１内の可動レンズの移動量は対応しているため、ロータリエンコーダ１５により検出されるモータ１４の回転数等の情報に基づいてフィードバック制御することにより、光学ズームを所望の倍率に合わせることができる。術者は、操作部２２のスイッチや操作パネル４２等に設けられた光学ズーム用のスイッチを操作することにより光学ズームの倍率を変更することができる。電子スコープ１のＣＰＵ１８は、光学ズーム用のスイッチの操作信号を受信し、受信された操作信号に基づいてモータ制御回路１６に制御信号を送信する。モータ制御回路１６は、ＣＰＵ１８より受信した制御信号に従い、モータ１４を所望の光学ズームの倍率に対応する回転数分だけ駆動する。モータ１４の駆動は、ギア１０に伝達され、ギア１０は、モータ１４の回転数分だけ対物光学系１１内の可動レンズを光軸方向に移動させる。
【００２３】
ＣＰＵ１８は、モータ制御回路１６のほか、メモリ１７やタイミング回路１９と接続されている。メモリ１７には、電子スコープ１が実行可能な機能、撮像素子１３の画素数やフレームレートなど、電子スコープ１に関する情報が記憶されている。従って、ＣＰＵ１８は、画像処理に必要な情報をメモリ１７から読み出して各ブロックに必要な設定値を指定する。また、電子スコープ１がビデオプロセッサ２に接続されると、ＣＰＵ１８は、メモリ１７に記憶されている情報のうち電子スコープ１の識別情報や撮像素子１３固有のプロパティ情報など、ビデオプロセッサ２内での処理に必要な情報をＣＰＵ３９に送信する。
【００２４】
ＣＰＵ３９は、ＣＰＵ１８から電子スコープ１に関する情報を受信すると、受信された情報に基づいてビデオプロセッサ２内の各ブロックの処理タイミングを変更するようにタイミング回路３７に対して指示したり、画像処理回路３４内のＲＧＢゲイン値を調整するなどし、現在使用している電子内視鏡システムに最適化された色が再現されるように制御する。また、ＣＰＵ１８は、メモリ４４に格納されているビデオプロセッサ２における画像処理に関する情報をＣＰＵ３９より受信し、受信された情報に基づいてタイミング回路１９を介して駆動回路２０を制御して撮像素子１３を駆動する。
【００２５】
映像信号処理回路３０は、撮像素子１３から出力される映像信号を受信し、受信された信号に、クランプ、ニー、γ補正、補間処理、ＡＧＣ（Auto Gain Control）などの種々の信号処理を施す。映像信号処理回路３０は、処理された信号をデジタル信号列に変換し、ＲＧＢの色変換を行って、Ｒ，Ｇ，Ｂの各信号をＲメモリ３１、Ｇメモリ３２、Ｂメモリ３３にそれぞれ出力する。Ｒメモリ３１、Ｇメモリ３２、Ｂメモリ３３は、タイミング回路３７から出力されるタイミングパルスに基づいて、入力された映像信号をフレーム単位でバッファリングする。また、Ｒメモリ３１、Ｇメモリ３２、Ｂメモリ３３は、タイミング回路３７の制御によって、信号をＮＴＳＣ（National Television System Committee）やＰＡＬ（Phase Alternation Line）などのモニタ表示のフォーマットに変換し、画像処理回路３４に出力する。
【００２６】
画像処理回路３４は、Ｒメモリ３１、Ｇメモリ３２、Ｂメモリ３３より受信されるＲ，Ｇ，Ｂの各映像信号に対して、血管を強調するエンハンス、明るさ補正、ノイズ低減、マスク処理等の画像処理を施し、Ｄ／Ａ変換して加算部３５に出力する。キャラクタ生成回路３８は、キーボード３や操作パネル４２から入力される、患者名、施術者の所見やコメントなど、種々の文字情報を加算部３５に出力する。加算部３５は、キャラクタ生成回路３８より入力される文字情報が画面内の所定位置に表示されるように、画像処理回路３４より入力される映像信号に対して文字情報の信号を付加する。文字情報付加後の映像信号は、アンプ３６に出力されて増幅された後、周辺機器であるモニタ８やプリンタ４、ＰＣ５、ＶＴＲ６に出力される。
【００２７】
図２（ａ），（ｂ）に、電子スコープ１の操作部２２の模式図を示す。本実施形態においては、４つのスイッチ５１，５２，５４，５５が操作部２２に設けられており、各スイッチには異なる機能が割り当てられている。なお、スイッチ５１，５２，５４，５５により、電子スコープ１やビデオプロセッサ２が有する機能のほか、ビデオプロセッサ２と接続されているプリンタ４，ＰＣ５，ＶＴＲ６、心電図、脈拍、血圧などを計測する計測装置７、モニタ８等の周辺機器の機能も実行することもできる。例えば、ビデオプロセッサ２において生成される静止画像をプリンタ４に送信して印刷したり、ビデオプロセッサ２において生成される静止画像や動画像をＰＣ５やＶＴＲ６に保存したり、計測装置７から出力される計測結果をモニタ８に表示させたりすることができる。
【００２８】
また、操作部２２には、電子スコープ１の可撓管先端部を上下左右に向けるための左右湾曲用アングルノブ５７と上下湾曲用アングルノブ５８が設けられている。術者が左右湾曲用アングルノブ５７と左右湾曲用アングルノブ５８を回動操作することにより、電子スコープ１の可撓管先端部の湾曲方向を制御して撮像範囲を変更することができる。左右湾曲用アングルノブ５７と左右湾曲用アングルノブ５８には、各アングルノブによる可撓管先端部の湾曲状態を固定するためのロックレバー５６，５９がそれぞれ設けられている。
【００２９】
また、操作部２２には、送気送水スイッチ５３及び吸引スイッチ６０が設けられている。送気送水スイッチ５３は、電子スコープ１の可撓管先端部に設けられた送気送水口から、送気によって患者の管腔を広げて視野を確保したり、体液や出血等で対物レンズ表面が汚れて電子スコープ１の観察性能が低下した場合に、水を噴射してレンズ表面の汚れを除去し、空気を送って対物レンズ表面の水滴を飛ばすことで視界を回復したり、処置対象物の表面に空気を吹き付けて処置対象物の鮮明な観察画像を取得したりする際に使用される。また、吸引スイッチ６０は、患者の体腔内の空気量を調節するために空気を吸引したり、体液や血液などを吸い出したりする際に使用される。
【００３０】
また、操作部２２の先端側には処置具チャネルの一端（処置具チャネル口６１）が設けられており、可撓管先端部には処置具チャネルの他端（他方の処置具チャネル口）が設けられている。処置具チャネル口６１には、生体鉗子や細胞採取用ブラシ、異物除去用鉗子、洗浄用パイプ、注射針など、各種処置具が必要に応じて挿入される。挿入された処置具は、処置具チャネル及び他方の処置具チャネル口を経由して病変部等の処置対象部位へ案内される。
【００３１】
次に、操作部２２のスイッチ５１，５２，５４，５５の発光について説明する。スイッチ５１，５２，５４，５５は、発光回路２３によるＬＥＤ等の発光制御に従い、発光可能となっている。各スイッチ５１，５２，５４，５５へ割当て可能な機能と発光色とは、１：１で対応付けられている。機能と発光色との対応関係の情報はメモリ１７に格納されている。なお、便宜上、発光回路２３と他の構成との結線は省略する。
【００３２】
電子スコープ１とビデオプロセッサ２とを接続すると、電子スコープ１のＣＰＵ１８は、ビデオプロセッサ２のＣＰＵ３９と通信を行う。ＣＰＵ３９は、メモリ４４に格納されているビデオプロセッサ２の識別情報を読み出してＣＰＵ１８に転送する。ＣＰＵ３９は、ビデオプロセッサ２に周辺機器が接続されている場合、接続されている周辺機器の識別情報もＣＰＵ１８に転送する。ＣＰＵ１８は、受信された識別情報に基づいて、ビデオプロセッサ２や周辺機器等との間で実行可能な機能を判別し、判別結果及びメモリ１７に格納されている機能と発光色との対応関係に基づいて、操作部２２の各スイッチへの機能の割当て及び発光色の指定を行う。
【００３３】
本実施形態では、スイッチ５１，５２，５４，５５のそれぞれに、フリーズ、プリンタによる印刷、ＶＴＲによる記録、画像において血管強調を行うエンハンスの機能が割り当てられる。また、スイッチ５１，５２，５４，５５のそれぞれに、発光色として、赤、緑、青、黄の発光色が指定される。
【００３４】
また、操作パネル４２の各スイッチは、発光回路４３（例えばＬＥＤ）により機能毎に異なる発光色にて発光可能となっている。ＣＰＵ１８は、ＣＰＵ３９と連係して発光回路４３を制御し、操作パネル４２内のフリーズスイッチ、印刷スイッチ、録画スイッチ、エンハンススイッチに対し、発光色として、赤、緑、青、黄を指定する。すなわち、同じ機能を実行する操作部２２のスイッチと操作パネル４２のスイッチとの発光色は一致する。
【００３５】
例えば操作部２２のスイッチ５１が押されると、ＣＰＵ１８は、スイッチ５１を赤色で発光させると共に、ＣＰＵ３９と連係して、画像処理回路３４に搭載された静止画用処理回路３４Ｃにキャプチャ信号を送信する。また、操作パネル４２内のフリーズスイッチが押された場合は、ＣＰＵ３９がフリーズスイッチを赤色で発光させると共に、静止画用処理回路３４Ｃにキャプチャ信号を送信する。赤色に発光されるスイッチは、術者に押されたスイッチのみであってもよく、スイッチ５１とフリーズスイッチの両方であってもよい。
【００３６】
静止画用処理回路３４Ｃは、キャプチャ信号の受信時に画像処理回路３４により生成されていた画像をキャプチャし、フリーズの解除操作（例えばスイッチ５１又はフリーズスイッチが再度押されるなど）が行われるまで、キャプチャされた画像を加算部３５に出力する。すなわち、画像処理回路３４からは、前段の回路より順次入力される映像信号を用いて生成される動画像、及び静止画用処理回路３４Ｃによりキャプチャされた静止画像が出力される。
【００３７】
また、画像処理回路３４は、動画像の信号に対して子画面を指定する子画面指定信号を付加して加算部３５に出力する。一方、静止画用処理回路３４Ｃは、スイッチ５１及びフリーズスイッチの発光色（赤）と同色の識別子を静止画像の信号に重畳し、かつ、静止画像の信号に対して親画面を指定する親画面指定信号を付加して加算部３５に出力する。本実施形態では、識別子として、従前の内視鏡システムを使用していた術者にも無用な違和感を与えぬよう、後述の図３（ａ）に示すマスクＭｒを採用している。なお、本実施形態におけるマスクとは、画像を取り囲うものであり、実質的に画像の一部を覆い隠すものではない。加算部３５は、親画面に指定された静止画像が表示画面領域の全体に配置され、子画面に指定された動画像が表示画面領域の四隅の一角に配置されるように画像の合成処理を行う。図３（ａ）に、モニタ８の表示画面に表示される合成画像を例示する。
【００３８】
図３（ａ）に示されるように、モニタ８の表示画面には、静止画像が親画面として表示画面全体に表示されると共に、動画像が子画面として表示画面の右上隅に表示される。動画像には一般的な黒色のマスクＭｋが重畳される一方、静止画像にはスイッチ５１及びフリーズスイッチの発光色と同じ赤色のマスクＭｒが重畳される。術者は、スイッチ５１やフリーズスイッチの発光色と同じ赤色のマスクＭｒを目視することにより、フリーズ操作に対応する静止画像を特定することができる。そのため、術者が動画像と静止画像とを取り違える虞がない。
【００３９】
また、操作部２２には、親画面切替用スイッチ６２が設けられている。親画面切替用スイッチ６２が押されると、ＣＰＵ１８は、ＣＰＵ３９と連係して、画像処理回路３４及び静止画用処理回路３４Ｃに対して切替信号を送信する。画像処理回路３４及び静止画用処理回路３４Ｃは、切替信号を受信すると、画像に付加すべき画面指定信号を切り替える。具体的には、子画面指定信号を付加していた場合には親画面指定信号へ切り替え、親画面指定信号を付加していた場合には子画面指定信号へ切り替える。そのため、例えば図３（ａ）に示される画面がモニタ８の表示画面に表示されている時に親画面切替用スイッチ６２が押されると、モニタ８の表示画面の表示は、動画像が親画面として表示画面全体に表示されると共に、静止画像が子画面として表示画面の右上隅に表示される画面に切り替わる（図３（ｂ）の表示画面例を参照）。
【００４０】
ここで、動画像が親画面となるため、動画像内における病変部等の絶対的な動き（動き量）が子画面の場合と比べて大きくなる。この場合、術者が動画像と静止画像とを取り違える虞が実質無くなるため、静止画像に対するマスクも一般的な黒色（マスクＭｋ）に変更される。なお、動画像と静止画像との取り違えをより確実に防止するため、図３（ｂ）の表示画面例においても、静止画像に対し、スイッチ５１及びフリーズスイッチの発光色と同じ赤色のマスクＭｒの重畳を継続してもよい。また、親画面切替用スイッチ６２と同一機能を持つスイッチは、操作パネル４２内にも設けられていてもよい。
【００４１】
ところで、施術中に長時間に亘って静止画像を観察し続けると、患者に負担等が掛かるため望ましくない。そこで、本実施形態では、タイムカウント機能が付加されている。図４は、タイムカウント機能の実行中のモニタ８の表示画面例を示す図である。
【００４２】
操作部２２には、タイムカウントモードをオン・オフするタイムカウント用スイッチ６３が設けられている。タイムカウント用スイッチ６３によりタイムカウントモードがオンされている場合、ＣＰＵ１８は、ＣＰＵ３９と連係して、静止画像が親画面に指定されている期間、期間開始からの経過時間の情報をキャラクタ生成回路３８に送信する。キャラクタ生成回路３８は、送信された経過時間の文字情報を加算部３５に出力する。加算部３５が経過時間の文字情報を静止画像に重畳することにより、図４に示される画面がモニタ８の表示画面に表示される。術者は、表示画面内の経過時間を視認することにより、静止画像をどの程度の時間観察しているかを把握することができ、例えば時間配分等を考えながら施術を進めることができる。
【００４３】
以上が本発明の例示的な実施形態の説明である。本発明の実施形態は、上記に説明したものに限定されず、本発明の技術的思想の範囲において様々な変形が可能である。例えば明細書中に例示的に明示される実施形態又は自明な実施形態を適宜組み合わせた内容も本願の実施形態に含まれる。例えば、電子スコープ１とビデオプロセッサ２とを接続した後に、電子スコープ１の操作部２２の各スイッチに割り当てられた機能と発光色とを変更することができる。術者は、ビデオプロセッサ２の操作パネル４２やビデオプロセッサ２に接続されたキーボード３を入力手段として使用し、操作部２２の各スイッチに割り当てられる機能や発光色を変更することができる。
【００４４】
また、ビデオプロセッサ２のＣＰＵ３９は、静止画用処理回路３４Ｃによってキャプチャされた静止画像を例えばＰＣ５やＶＴＲ６、ファイルシステム等の外部記憶装置に保存することができる。ＣＰＵ３９はまた、これらの外部記憶装置に保存されている静止画像を読み出し、読み出された静止画像を親画面又は子画面として、静止画用処理回路３４Ｃによりキャプチャされた静止画像に代えて、モニタ８の表示画面に表示させることができる。この場合も、術者による動画像と静止画像との取り違えを防止するため、マスクＭｒが静止画像に重畳される。すなわち、マスクＭｒが重畳される静止画像は、過去にキャプチャされた画像であってもよい。
【００４５】
また、本実施形態では識別子として、画像を取り囲うマスクＭｒを例示しているが（図３、図４参照）、マスクの形態はこれに限らない。例えばマスクは、画像を完全には取り囲わない形態（例えば画像の上下端に重畳されるライン等）であってもよい。
【符号の説明】
【００４６】
１    電子スコープ
２    ビデオプロセッサ
３    キーボード
４    プリンタ
５    ＰＣ
６    ＶＴＲ
７    計測装置
８    モニタ
１８，３９    ＣＰＵ
２２    操作部
２３，４３    発光回路
３４Ｃ  静止画用処理回路
４２    操作パネル
５１，５２，５４，５５    スイッチ
１００    電子内視鏡システム
【図１】
0005877104.tif 000002
【図２】
0005877104.tif 000003
【図３】
0005877104.tif 000004
【図４】
0005877104.tif 000005